(57)【特許請求の範囲】
【請求項１】
竿元側の外周面上に、周方向においてほぼ１８０度に対向して形成された１対の開口部を有する外部竿体と、
前記外部竿体の穂先側に延伸して連結された延伸状態と前記外部竿体内に収納された収納状態とを取り得る内部竿体と、
前記１対の開口部に嵌め込まれるとともに前記外周面に締着され、前記開口部から前記外部竿体内部の竿体収納部側に突出し、前記収納状態での前記内部竿体を抑止可能な弾性部材と、
を備えた釣竿。
【請求項２】
前記外部竿体の竿元側端部に装着され、前記内部竿体の後端部を収納可能な凹部を有する尻栓をさらに備えている、請求項１に記載の釣竿。
【請求項３】
前記弾性部材は樹脂製の環状部材である、請求項１又は２に記載の釣竿。
【請求項４】
前記弾性部材は内側への付勢力を有するバネ部材である、請求項１又は２に記載の釣竿。
【発明の詳細な説明】
【０００１】
【発明の属する技術分野】
本発明は、釣竿、特に、穂先側の竿体を竿元側の竿体内部に収納可能な釣竿に関する。
【０００２】
【従来の技術】
従来の並継形式の釣竿は、複数の筒状の竿体が穂先側の竿体から順次竿元側の竿体内に挿入可能になっている。釣りを行う際には各竿体を順次穂先側に引き出して嵌合固定して１本の竿体として使用する。一方、収納時には穂先側の竿体を順次竿元側の竿体内に収納してコンパクトな状態とする。
【０００３】
また、従来の並継形式の釣竿には竿全体の長さを変化させて釣りを行えるように工夫したものがある。このように工夫された釣竿の元竿は、穂先側端部内周面に他の部分よりやや小径に形成され元上竿の竿元側端部を嵌合固定可能な第１嵌合固定部と、竿元側端部内に配置され元上竿の竿元側端部内を嵌合固定可能な第２嵌合固定部とを有している。この第２嵌合固定部は、元竿の竿元側端部内に配置される合成樹脂製の筒状部材であって、その内径が元上竿の竿元側端部外径にほぼ一致するように形成されている。
【０００４】
このような従来の釣竿では、元竿の穂先側に連結される元上竿が穂先側に引き出された状態（以下「延伸状態」という）と、元上竿が元竿内に収納された状態（以下「収納状態」という）とで、元上竿は第１嵌合固定部と第２嵌合固定部とにそれぞれ固定される。このように元竿と元上竿とは「延伸状態」、「収納状態」のいずれの状態においても互いに嵌合固定可能であり、状況に応じて竿全体の長さを変化させて釣りを行うことができる。
【０００５】
【発明が解決しようとする課題】
従来の竿全体の長さを変化させて釣りを行えるように工夫した釣竿のように、元竿の第１嵌合固定部及び第２嵌合固定部の両方に元上竿の竿元側端部外周面を十分に嵌合固定可能とするためには、これら第１嵌合固定部、第２嵌合固定部の内径及び元上竿端部外周面の外径を高精度に形成する必要がある。このため、このような嵌合部分の成形には多くの時間と手間とを費やす必要があった。
【０００６】
本発明の課題は、簡易な構造で振出形式の竿体同士を互いに嵌合固定可能な釣竿を提供することにある。
【０００７】
【課題を解決するための手段】
発明１に係る釣竿は、竿元側の外周面上に、周方向においてほぼ１８０度に対向して形成された１対の開口部を有する外部竿体と、外部竿体の穂先側に延伸して連結された延伸状態と外部竿体内に収納された収納状態とを取り得る内部竿体と、１対の開口部に嵌め込まれるとともに前記外周面に締着され、前記開口部から前記外部竿体内部の竿体収納部側に突出し、収納状態での内部竿体を抑止可能な弾性部材とを備えている。
【０００８】
このような釣竿では、外部竿体に設けられた開口部より弾性部材が締着されている。ここで内部竿体を外部竿体の内部に挿入して「収納状態」とするとき、開口部から外部竿体内部に突出した弾性部材が内部竿体の竿元側端部を挟持して内部竿体を抑止する。したがって簡易な構造により内部竿体と外部竿体との嵌合固定を容易に行うことができる。
【０００９】
発明２に係る釣竿は、発明１の釣竿において、外部竿体の竿元側端部に装着され、内部竿体の後端部を収納可能な凹部を有する尻栓をさらに備えている。
この場合は、内部竿体を外部竿体内に収納して内部竿体の竿元側端部を尻栓の凹部に収納させる。ここでは弾性部材が内部竿体の竿元側端部を挟持して内部竿体の軸方向への移動を規制するとともに、尻栓の凹部が内部竿体の幅方向への振れを抑えることができる。
【００１０】
発明３に係る釣竿は、発明１又は２の釣竿において、弾性部材は樹脂製の環状部材である。この場合、弾性部材として、たとえばゴム製のＯリング等を用いることにより、内部竿体と外部竿体との嵌合固定を容易に行うことができる。
発明４に係る釣竿は、発明１又は２の釣竿において、弾性部材は内側への付勢力を有するバネ部材である。この場合、内部竿体を挟持可能なバネ部材を用いることにより、内部竿体と外部竿体との嵌合固定を容易に行うことができる。
【００１１】
【発明の実施の形態】
本発明の一実施形態を採用した釣竿は、振出式の中通し竿であり、図１に示すように、元竿１と、元竿１の穂先側に元竿１内に収納可能に連結された元上竿２と、元上竿２内にさらに収納可能な複数の穂先側竿体ユニット３とを有している。元竿１には、リールＲが装着可能なリールシート４が設けられており、リールシート４より竿元側の元竿１外周面上には周方向に対向するように１対の開口部５ａ、５ｂが形成されている。この１対の開口部５ａ、５ｂには環状のゴムリング６が締着されている。そして元竿１の竿尻部には尻栓７が取り付けられている。元上竿２の穂先側の外周面には、リールＲからの釣り糸Ｌを竿体内部に挿入する釣糸導入孔８が形成されている。穂先側竿体ユニット３は、複数の竿体が順次挿入して収納可能になっており、穂先側先端にはトップガイド９が設けられている。そして、リールＲから導かれた釣り糸Ｌは、釣糸導入孔８から元竿１及び元上竿２内に導入され、トップガイド９から外部へ導かれる。
【００１２】
元竿１は、図１に示すように、穂先側にいくほど小径になるように形成された先細り形状の円筒部材である。元竿１の内部には竿体収納部１０を有しており、他の竿体を収納可能である。この元竿１の穂先側端部は他の部分より肉厚かつ内径がやや小径になるように形成されており（図示せず）、元上竿２の竿元側端部と振出形式に嵌合可能な嵌合雌部となっている。また、図２に示すように、元竿１の竿元側端部内周面にはネジ山１ａが形成され、このネジ山１ａに尻栓７が着脱自在に螺合されている。さらに図２から図４に示すように、元竿１の外周面には、周方向においてほぼ１８０度に対向して１対の開口部５ａ、５ｂが形成されている。開口部５ａ、５ｂは、元竿１の外周面の同一円周上に設けられ、それぞれ元竿１内部の竿体収納部１０と外部とを連通している。なお、開口部５ａ、５ｂは、この開口部５ａ、５ｂの対向距離Ａ（図４参照）が後述する元上竿２の竿元側端部の外径よりやや小さくなるように形成されている。
【００１３】
元上竿２は、図２に示すように、元竿１と同様に先細り円筒部材であって、内部には他の竿体が収納可能な竿体収納部２０を有している。この元上竿２の竿元側端部は他の部分よりやや大径に形成された嵌合雄部２ａとなっている。嵌合雄部２ａの外径は、元竿１の穂先側端部内周の図示しない嵌合雌部の内径に合致している。また嵌合雄部２ａの内周面にはネジ山２ｂが形成され、このネジ山２ｂには元上尻栓２１が着脱自在に螺合している。
【００１４】
穂先側竿体ユニット３は、図１に示すように、トップガイド９を有する最も先端の第１竿体３１と、第１竿体３１を支持するとともに内部に収納可能な第２竿体３２と、第２竿体３２を内部に収納可能でかつ元上竿２に挿入可能な第３竿体３３とを有している。穂先側竿体ユニット３を構成する３本の竿体３１、３２、３３は振出形式で連結されている。また、これらの竿体の内部には、釣り糸Ｌを挿通可能な釣糸挿通通路（図示せず）が形成されている。
【００１５】
ゴムリング６は、図３に示すように、弾性ゴムからなるリング状部材であって、１対の開口部５ａ、５ｂにそれぞれ嵌め込まれ、元竿１の竿元側端部の外周面に配置される。ゴムリング６は、図４に示すように、自らの弾性力によって変形し、開口部５ａ、５ｂより元竿１内部の竿体収納部１０へ突出する。
尻栓７は、図３に示すように、元竿１の竿尻部を閉塞する部材であって、略円柱状の本体部１１と、本体部１１の穂先側に本体部１１より小径で、かつネジ山が形成された突出部１２とを有している。本体部１１及び突出部１２は、合成樹脂等で一体的に形成されており、本体部１１の外径は元竿１の竿元側端部の外径とほぼ一致している。そして、突出部１２の外径は元竿１の竿元側端部の内径と合致するように形成されており、この突出部１２を元竿１のネジ山１ａに螺合させることにより、尻栓７は元竿１の竿尻部を閉塞する。また突出部１２の穂先側には軸方向に凹入する収納部１３が形成されている。収納部１３の内径は、元上竿２の竿元側端部の元上尻栓２１の外径よりやや大径となっており、元上尻栓２１が収納部１３内部に収納可能になっている。
【００１６】
この釣竿を使用するときは、図２(ａ)に示すように、まず元上竿２を元竿１から穂先側に引き出し、嵌合雄部２ａを元竿１の穂先側端部の嵌合雌部（図示せず）に固定し、さらに穂先側竿体ユニット３（図１参照）を元上竿２から引き出して固定して使用する。この延伸状態から、穂先側竿体ユニット３を伸ばした状態で元上竿２を元竿１内部の竿体収納部１０に挿入し、図２(ｂ)に示す収納状態とした場合も使用可能である。
【００１７】
この収納状態では、開口部５ａ、５ｂから内部に突出したゴムリング６が元上竿２の竿元側端部の嵌合雄部２ａを弾性力により挟持することにより、元上竿２を抑止することができる。また、尻栓７の収納部１３に元上尻栓２１を収納させることにより、元上竿２の幅方向への振れを抑えることができる。
〔他の実施形態〕
（ａ）  前記実施形態では、弾性部材はゴムリング６であったが、たとえば金属製の屈曲したバネ部材１６でもよい。バネ部材１６は、図５に示すように、一端に装着用の開口１６ａを有する略Ｃ字状の屈曲部材である。バネ部材１６は、開口部５ａ、５ｂから元竿１内部に凹むように屈曲しており、元上竿２の竿元側端部外周に沿った形状となっている。したがって、バネ部材１６が元上竿２の竿元側端部を挟持することにより、元上竿２の抑止を行うことができる。
【００１８】
（ｂ）  前記実施形態では、振出式の中通し竿を採用したが、内部竿体が外部竿体に収納可能な釣竿であれば、本発明を適用できる。
（ｃ）  前記実施形態において、弾性部材としてゴムリング６やバネ部材１６を用いたが、これらに限定されるものではない。
（ｄ）  前記実施形態において、尻栓７には収納部１３が形成されていたが、これに限定されるものではない。
【００１９】
【発明の効果】
本発明によれば、外部竿体の開口部より弾性部材を締着して内部竿体を挟持することにより、簡易な構造で外部竿体と内部竿体とを互いに嵌合固定することができる。
【図面の簡単な説明】
【図１】本発明の一実施形態を採用した釣竿の全体図。
【図２】前記釣竿の竿元側端部の延伸状態及び収納状態における断面図。
【図３】前記竿元側端部周辺の斜視図。
【図４】図３のIV−IV断面図。
【図５】他の実施形態における図４に相当する図。
【符号の説明】
１  元竿
２  元上竿
５ａ、５ｂ  開口部
６  ゴムリング
７  尻栓
１３  収納部
１６  バネ部材
【図１】
0004179574.tif 000002
【図２】
0004179574.tif 000003
【図３】
0004179574.tif 000004
【図４】
0004179574.tif 000005
【図５】
0004179574.tif 000006